(57)【要約】【課題】６枚の板からスリットを介して各面井桁状に組み立て可能な構造体を提供する。【解決手段】左右垂直板ＶＬ，ＶＲと前後垂直板ＶＦ，ＶＢとをスリット同士の嵌合を介して組み立てた後、これに水平板ＨＴ，ＨＢを組み込んで井桁状組立構造体３を得る。各水平板は２つの板部材に分割されており、一方の板部材ＨＴ−１，ＨＢ−１の突出部Ｐ１を左右垂直板のスリットＳ４に挿入して連結すると共にスリット同士の嵌合により前後垂直板と連結し、他方の板部材ＨＴ−２，ＨＢ−２の突出部Ｐ３を左右垂直板ＶＬ，ＶＲのスリットＳ３に挿入して左右垂直板ＶＬ，ＶＲと連結すると共にスリット同士の嵌合により前後垂直板ＶＦ，ＶＢと連結する。【選択図】図５
2007195733.tif 000002
【特許請求の範囲】
【請求項１】
幅Ｌ１×高さＨ×厚さｔの同一寸法の２枚の板ＶＬ，ＶＲを左右に配した垂直板とし、幅Ｌ２×高さＨ×厚さｔの同一寸法の２枚の板ＶＦ，ＶＢを前後に配した垂直板とし、これら一対の左右垂直板ＶＬ，ＶＲおよび一対の前後垂直板ＶＦ，ＶＢに各々板厚ｔに応じた溝幅を有するスリットを高さ方向に延長するように形成してこれらスリット同士の嵌合により平面視井桁状の中間組立体が形成され、この中間組立体にＬ１×Ｌ２×厚さｔの同一寸法の２枚の板を水平板ＨＴ，ＨＢとして組み込んで各面井桁状に組み立てられる井桁状組立構造体であって、一対の左右垂直板ＶＬ，ＶＲには、高さ方向を三等分する位置に幅方向一端から水平方向に延長するスリットＳ３およびＳ４が形成され、スリットＳ３はＬ１の略１／３の長さを有すると共にスリットＳ４はＬ１の略２／３の長さを有しており、一対の前後垂直板ＶＦ，ＶＢには、高さ方向を三等分する位置に幅方向両端から水平方向に延長するスリットＳ７，Ｓ８およびＳ９，Ｓ１０が形成され、また、水平板ＨＴ，ＨＢの各々には、左右垂直板ＶＬ，ＶＲの一方に対応する位置に一端からＬ１の略２／３の長さを有するスリットＳ１１が形成されると共に該左右垂直板の他方に対応する位置に他端からＬ１の略１／３の長さを有するスリットＳ１２が形成され、且つ、前後垂直板ＶＦ，ＶＢに対応する位置にスリットＳ１１，Ｓ１２に十字状またはＴ字状に交差するスリットＳ１３，Ｓ１４が形成されていて、各水平板ＨＴ，ＨＢはこれらスリットの交差により２つの板部材ＨＴ−１，ＨＴ−２；ＨＢ−１，ＨＢ−２に分割されており、この分割された２つの板部材の一方ＨＴ−１，ＨＢ−１の突出部Ｐ１を左右垂直板ＶＬ，ＶＲのスリットＳ４に挿入して左右垂直板ＶＬ，ＶＲと連結すると共にスリットＳ１３，Ｓ１４とこれらに対応して前後垂直板ＶＦ，ＶＢに形成された水平方向のスリット（Ｓ７〜Ｓ１０）とを介して前後垂直板ＶＦ，ＶＢと連結し、他方の板部材ＨＴ−２，ＨＢ−２の突出部Ｐ３を左右垂直板ＶＬ，ＶＲのスリットＳ３に挿入して左右垂直板ＶＬ，ＶＲと連結すると共にスリットＳ１３，Ｓ１４とこれらに対応して前後垂直板ＶＦ，ＶＢに形成された水平方向のスリット（Ｓ７〜Ｓ１０）とを介して前後垂直板ＶＦ，ＶＢと連結することにより、前記中間組立体に水平板ＨＴ，ＨＢが組み込まれて井桁状の構造体とされることを特徴とする、井桁状組立構造体。
【請求項２】
一対の左右垂直板ＶＬ，ＶＲの幅Ｌ１と一対の前後垂直板ＶＦ，ＶＢの幅Ｌ２とが同一寸法である、請求項１の井桁状組立構造体。
【請求項３】
一対の左右垂直板ＶＬ，ＶＲの幅Ｌ１と、一対の前後垂直板ＶＦ，ＶＢの幅Ｌ２と、これら垂直板の高さＨをすべて同一寸法であって、一対の水平板ＨＴ，ＨＢを含めて６枚の板がすべて同一寸法の正方形状板である、請求項１の井桁状組立構造体。
【請求項４】
一対の左右垂直板ＶＬ，ＶＲ、一対の前後垂直板ＶＦ，ＶＢおよび一対の水平板ＨＴ，ＨＢは、いずれも同一のスリット構成を有する板を対称の位置関係にして用いることで共用可能である、請求項１ないし３のいずれか記載の井桁状組立構造体。
【請求項５】
各板の交差箇所を結束具で結束する、請求項１ないし４のいずれか記載の井桁状組立構造体。
【請求項６】
天板を載置してテーブルとして使用する、請求項１ないし５のいずれか記載の井桁状組立構造体。
【発明の詳細な説明】
【技術分野】
【０００１】
本発明は複数枚の板をスリットを介して立体的に組み立てられる組立構造体に関し、特に６枚の同一寸法の板をスリットを介して各面井桁状に組み立てられる組立構造体に関する。
【背景技術】
【０００２】
それぞれ所定位置に所定寸法のスリットを形成した板を複数枚用意しておき、これらの板をスリットを介して立体的に組み立てる組立構造体は、下記特許文献１〜３に例示されるように従来公知であり、特に間仕切り、棚、テーブル台などの家具に利用されている。
【特許文献１】実公昭５０−２４９０３号公報
【特許文献２】実開平３−１９３３２号公報
【特許文献３】実開昭５３−１５９１９号公報
【発明の開示】
【発明が解決しようとする課題】
【０００３】
しかしながら、６枚の板をスリットを介して各面井桁状に組み立てる組立構造体は、少なくとも出願人の知る限りにおいて公知例は存在しない。これは、そのような井桁状の組立構造体を得るためのスリット形成手法が複雑で解明されるに至っていないためであると推測される。
【０００４】
従来、各面が井桁状に見える構造体を提供しようとする場合、スリット同士の嵌合を介した組立手法のみで該構造体を得ることは困難または不可能であって、少なくとも部分的には区画単位の小さな板を接着剤で接合する手法を併用することが不可避であると考えられていたが、薄い板厚部分で板同士を接着しても大きな荷重に耐えることはできず、その用途が限定されるものとならざるを得ない。また、組み立てるという作業そのものの楽しみが奪われてしまう。
【０００５】
したがって、本発明が解決しようとする課題は、６枚の板をスリットを介して各面井桁状に組み立てるためのスリット形成手法を解明して、従来では困難または不可能と考えられていた井桁状組立構造体を提供することである。
【課題を解決するための手段】
【０００６】
この課題を解決するため、本発明は、幅Ｌ１×高さＨ×厚さｔの同一寸法の２枚の板ＶＬ，ＶＲを左右に配した垂直板とし、幅Ｌ２×高さＨ×厚さｔの同一寸法の２枚の板ＶＦ，ＶＢを前後に配した垂直板とし、これら一対の左右垂直板ＶＬ，ＶＲおよび一対の前後垂直板ＶＦ，ＶＢに各々板厚ｔに応じた溝幅を有するスリットを高さ方向に延長するように形成してこれらスリット同士の嵌合により平面視井桁状の中間組立体が形成され、この中間組立体にＬ１×Ｌ２×厚さｔの同一寸法の２枚の板を水平板ＨＴ，ＨＢとして組み込んで各面井桁状に組み立てられる井桁状組立構造体であって、一対の左右垂直板ＶＬ，ＶＲには、高さ方向を三等分する位置に幅方向一端から水平方向に延長するスリットＳ３およびＳ４が形成され、スリットＳ３はＬ１の略１／３の長さを有すると共にスリットＳ４はＬ１の略２／３の長さを有しており、一対の前後垂直板ＶＦ，ＶＢには、高さ方向を三等分する位置に幅方向両端から水平方向に延長するスリットＳ７，Ｓ８およびＳ９，Ｓ１０が形成され、また、水平板ＨＴ，ＨＢの各々には、左右垂直板ＶＬ，ＶＲの一方に対応する位置に一端からＬ１の略２／３の長さを有するスリットＳ１１が形成されると共に該左右垂直板の他方に対応する位置に他端からＬ１の略１／３の長さを有するスリットＳ１２が形成され、且つ、前後垂直板ＶＦ，ＶＢに対応する位置にスリットＳ１１，Ｓ１２に十字状またはＴ字状に交差するスリットＳ１３，Ｓ１４が形成されていて、各水平板ＨＴ，ＨＢはこれらスリットの交差により２つの板部材ＨＴ−１，ＨＴ−２；ＨＢ−１，ＨＢ−２に分割されており、この分割された２つの板部材の一方ＨＴ−１，ＨＢ−１の突出部Ｐ１を左右垂直板ＶＬ，ＶＲのスリットＳ４に挿入して左右垂直板ＶＬ，ＶＲと連結すると共にスリットＳ１３，Ｓ１４とこれらに対応して前後垂直板ＶＦ，ＶＢに形成された水平方向のスリット（Ｓ７〜Ｓ１０）とを介して前後垂直板ＶＦ，ＶＢと連結し、他方の板部材ＨＴ−２，ＨＢ−２の突出部Ｐ３を左右垂直板ＶＬ，ＶＲのスリットＳ３に挿入して左右垂直板ＶＬ，ＶＲと連結すると共にスリットＳ１３，Ｓ１４とこれらに対応して前後垂直板ＶＦ，ＶＢに形成された水平方向のスリット（Ｓ７〜Ｓ１０）とを介して前後垂直板ＶＦ，ＶＢと連結することにより、前記中間組立体に水平板ＨＴ，ＨＢが組み込まれて井桁状の構造体とされることを特徴とする、井桁状組立構造体である。
【０００７】
一対の左右垂直板ＶＬ，ＶＲの幅Ｌ１と一対の前後垂直板ＶＦ，ＶＢの幅Ｌ２とが同一寸法であっても良い。
【０００８】
また、一対の左右垂直板ＶＬ，ＶＲの幅Ｌ１と、一対の前後垂直板ＶＦ，ＶＢの幅Ｌ２と、これら垂直板の高さＨをすべて同一にして、一対の水平板ＨＴ，ＨＢを含めて６枚の板がすべて同一寸法の正方形状板となるようにしても良い。
【０００９】
好ましくは、一対の左右垂直板ＶＬ，ＶＲ、一対の前後垂直板ＶＦ，ＶＢおよび一対の水平板ＨＴ，ＨＢは、いずれも同一のスリット構成を有する板を対称の位置関係にして用いることで共用可能である。
【００１０】
また、各板の交差箇所を結束具で結束することにより、この井桁状組立構造体をより安定化させ、補強することができる。
【００１１】
この井桁状組立構造体に天板を載置すればテーブルとして使用可能となる。
【００１２】
なお、一対の左右垂直板ＶＬ，ＶＲと一対の前後垂直板ＶＦ，ＶＢとは前後左右の見方によるので、左右垂直板を前後垂直板、前後垂直板を左右垂直板とした構成も実質的に同一であり、上記発明の範囲に含まれるものである。
【発明の効果】
【００１３】
本発明によれば、同一寸法の正方形状の板を６枚用意し、そのうちの２枚の板ＶＬ，ＶＲを左右に配した垂直板、２枚の板ＶＦ，ＶＢを前後に配した垂直板とし、残る２枚の板ＨＴ，ＨＢを上下に配した水平板として、これら各板に予め形成した板厚に対応する溝幅のスリットを介して井桁状構造体に組み立てることができる。
【００１４】
この井桁状組立構造体は接着剤やネジなどを一切必要とせず、スリット同士の嵌合のみで組み立てることができるので、組立作業そのものを楽しむことができる。また、分解したときには６枚の薄い板を積み重ねた状態になるので保管、梱包、運搬などに便利である。
【００１５】
好ましい実施形態によれば、一対の左右垂直板ＶＬ，ＶＲ、一対の前後垂直板ＶＦ，ＶＢおよび一対の水平板ＨＴ，ＨＢは、いずれも同一のスリット構成を有する板を対称にして用いることで共用可能であるから、実際には３通りに異なるスリットを形成した３種類の板を２枚ずつ作製しておけば良く、製品コストの低減を図ることができる。
【発明を実施するための最良の形態】
【００１６】
図１は本発明の一実施形態による井桁状組立構造体を構成する６枚の板を示す平面図である。６枚の板はすべて同一寸法の正方形状の薄板であり、たとえば４５０ｍｍ×４５０ｍｍ×厚さ７ｍｍである。各板はたとえば無垢板や合板などの木質材から形成されることが好ましい。
【００１７】
６枚の板とは、井桁状組立構造体において左右に間隔をおいて並置される一対の左右垂直板ＶＬ，ＶＲと、同井桁状組立構造体において前後に間隔をおいて並置されると共に一対の左右垂直板ＶＬ，ＶＲに対してそれぞれ直交状態に組み込まれる一対の前後垂直板ＶＦ，ＶＢと、同井桁状組立構造体において上下に間隔をおいて並置されると共に一対の左右垂直板ＶＬ，ＶＲおよび一対の前後垂直板ＶＦ，ＶＢに対してそれぞれ直交状態に組み込まれる一対の水平板ＨＴ，ＨＢである。
【００１８】
各板には所定の位置に所定の長さ延長するスリットが予め形成されている。スリットの形成は板が木質材であれば通常の木材加工として公知の手法で容易に行うことができる。各スリットは板厚に応じて決定された一定の溝幅を有しており、たとえば板厚が７ｍｍの場合にはスリットの溝幅は８ｍｍとすることができる。
【００１９】
右側の垂直板ＶＲについて説明すると、幅方向を三等分する位置に上端から垂直にスリットＳ１とスリットＳ２が形成され、（組立状態において）高さ方向を三等分する位置に右端から水平にスリットＳ３とスリットＳ４が形成されている。スリットＳ１の長さは板の正方形の一辺の長さＬの約１／６であり、スリットＳ２の長さはＬの約１／３であり、スリットＳ３の長さは約Ｌ／３であり、スリットＳ４の長さはＬの約２／３である。
【００２０】
左側の垂直板ＶＬは、右側の垂直板ＶＲを上下対称にした状態で井桁状組立構造体に配置されるので、右側の垂直板ＶＲについて記述したようにスリットを形成したものを２枚用意して一方を右側垂直板ＶＲ、他方を左側垂直板ＶＬとして使用することができる。したがって、左側垂直板ＶＬには、右側垂直板ＶＲにおけるスリットＳ１〜Ｓ４に対応したスリットＳ１’〜Ｓ４’が形成されている。
【００２１】
前方の垂直板ＶＦには、幅方向を三等分する位置において下端から上方に延長するスリットＳ５と上端から下方に延長するスリットＳ６が形成されており、スリットＳ５の長さは板の正方形の一辺の長さＬの約５／６であり、スリットＳ６の長さはＬの約２／３である。また、高さ方向を三等分する位置において左端からスリットＳ７，Ｓ８が、右端からスリットＳ９，Ｓ１０が、それぞれＬの約１／６の長さで形成されている。
【００２２】
後方の垂直板ＶＢは、前方の垂直板ＶＦを上下対称にした状態で井桁状組立構造体に配置されるので、前方の垂直板ＶＦについて記述したようにスリットを形成したものを２枚用意して一方を前方垂直板ＶＦ、他方を後方垂直板ＶＢとして使用することができる。したがって、後方垂直板ＶＢには、前方垂直板ＶＦにおけるスリットＳ５〜Ｓ１０に対応したスリットＳ５’〜Ｓ１０’が形成されている。
【００２３】
上方の水平板ＨＴには、左右垂直板ＶＬ，ＶＲの一方（ＶＲ）に対応する位置に板の正方形の一辺の長さＬの略２／３の長さを有するスリットＳ１１が形成されると共に該左右垂直板の他方（ＶＬ）に対応する位置に板の正方形の一辺の略１／３の長さを有するスリットＳ１２が形成されている。また、前後垂直板ＶＦ，ＶＢに対応する位置にスリットＳ１１，Ｓ１２に十字状またはＴ字状に交差するようにスリットＳ１３，Ｓ１４が形成されている。したがって、上方水平板ＨＴは、スリットＳ１１，Ｓ１４，Ｓ１２によって２つの板部材ＨＴ−１，ＨＴ−２に分割されている。そして、板部材ＨＴ−１には、スリットＳ１３のうちのスリットＳ１１よりも左側部分であるスリットＳ１３ａと、スリットＳ１４のうちのスリットＳ１２よりも左側部分であるスリットＳ１４ａが残り、スリットＳ１３ａはスリットＳ１１による分割線から左方にＬの略１／２の長さ延長して左端との間にＬの略１／６を残しており、スリットＳ１４ａはスリットＳ１２による分割線の上端から左方にＬの略１／６の長さ延長して左端との間にＬの略１／６を残している。また、板部材ＨＴ−２には、スリットＳ１３のうちのスリットＳ１１よりも右側部分であるスリットＳ１３ｂと、スリットＳ１４のうちのスリットＳ１１よりも右側部分であるスリットＳ１４ｂが残り、これらスリットＳ１３ｂ，Ｓ１４ｂはいずれもスリットＳ１１による分割線から右方にＬの略１／６の長さ延長して右端との間にＬの略１／６を残している。
【００２４】
下方の水平板ＨＢは、上方の水平板ＨＴを前後左右に対称にした状態で井桁状組立構造体に配置されるので、上方の水平板ＨＴについて記述したようにスリットを形成したものを２枚用意して一方を上方の水平板ＨＴ、他方を下方の水平板ＨＢとして使用することができる。したがって、下方水平板ＨＢも上方水平板ＨＴにおけるスリットＳ１１〜Ｓ１４に対応したスリットＳ１１’〜Ｓ１４’が形成され、分割された２つの板部材のうちの一方ＨＢ−１にはスリットＳ１３ａ’とスリットＳ１４ａ’が残され，他方の板部材ＨＢ−２にはスリットＳ１３ｂ’とスリットＳ１４ｂ’が残されている。
【００２５】
以上に述べた計６枚の板（水平板ＨＴ，ＨＢは各々２分割されているので実際には計８枚の板）を用いて図２に示すような井桁状組立構造体に組み立てる工程順の一例について説明すると、まず、前方垂直板ＶＦと後方垂直板ＶＢとを板の正方形の一辺の長さＬの略１／３だけ前後に隔てた状態に手で支えるなどして一時的に維持し、これらに左側垂直板ＶＬを交差状に組み付けて図３に示す第１の中間組立体１を得る。すなわち、前方垂直板ＶＦのスリットＳ６と左側垂直板ＶＬのスリットＳ２’とを合わせると共に、後方垂直板ＶＢのスリットＳ７‘と左側垂直板ＶＬのスリットＳ１’とを合わせて、左側垂直板ＶＬを上方から下方にスライドさせる。前述のように、スリットＳ６とスリットＳ２’との長さ合計、スリットＳ７‘とスリットＳ１’との長さ合計はいずれも板の正方形の一辺の長さＬに略等しいので、これらスリット同士の嵌合によって、左側垂直板ＶＬの上端および下端が前方垂直板ＶＦ、後方垂直板ＶＢの各上端および下端に略一致する。したがって、図３に示す中間組立体１は安定して自立し、以降の組立作業を容易に行うことができる。
【００２６】
次いで、この中間組立体１に右側垂直板ＢＲを組み付ける。右側垂直板ＢＲの組み付け作業は左側垂直板ＶＬの組み付け作業と略同様にして行うが、前方垂直板ＶＦのスリットＳ５と右側垂直板ＶＲのスリットＳ１とを合わせると共に、後方垂直板ＶＢのスリットＳ６‘と右側垂直板ＶＲのスリットＳ２とを合わせて、右側垂直板ＶＲを下方から上方にスライドさせる。したがって、実際の組み付け作業においては、図３に示す中間組立体１を上下反転させた状態にして右側垂直板ＶＲを上方から下方にスライドさせるようにすると作業を容易に行うことができる。
【００２７】
これにより、図４に示す第２の中間組立体２を得る。この中間組立体２においては一対の左右垂直板ＶＬ，ＶＲと一対の前後垂直板ＶＦ，ＶＢとが平面視井桁状に交差して組み立てられている。
【００２８】
次いで、この中間組立体２に上下の水平板ＨＴ，ＨＢを組み付ける。これら水平板は既述のように実際には各々２枚の板部材ＨＴ−１，ＨＴ−２；ＨＢ−１，ＨＢ−２に分割されているので、一方の板部材を一対の左右垂直板のいずれか一方と前後垂直板ＶＦ，ＶＢとに組み付けると共に他方の板部材を他方の垂直板と前後垂直板ＶＦ，ＶＢとに組み付けることによって、水平板の組み付け作業を行う。
【００２９】
上方水平板ＨＴの組み付け作業について説明すると、板部材ＨＴ−１は前述のようにスリットＳ１１の長さ（Ｌの略２／３）に亘る幅広の突出部Ｐ１を有しており、一方、左側垂直板ＶＬはこの突出部Ｐ１を受け入れる略同幅（長さ）のスリットＳ４’を有するので、この突出部Ｐ１をスリットＳ４’に貫通させることができる。このとき、板部材ＨＴ−１のスリットＳ１３ａと後方垂直板ＶＢの左端からのスリットＳ１０’との長さ合計はＬの略２／３に相当しているので、これらスリット同士の嵌合を介して板部材ＨＴ−１は後方垂直板ＶＢに対しても組み付けられ、突出部Ｐ１の先端は右側垂直板ＶＲに突き当たる。また、板部材ＨＴ−１のスリットＳ１４ａと前方垂直板ＶＦの左端からのスリットＳ７との長さ合計はＬの略１／３に相当しているので、これらスリット同士の嵌合を介して板部材ＨＴ−１は前方垂直板ＶＦに対しても組み付けられ、後退部Ｐ２の先端は左側垂直板ＶＬに突き当たる。
【００３０】
一方、板部材ＨＴ−２は前述のようにスリットＳ１２の長さ（Ｌの略１／３）に亘る幅広の突出部Ｐ３を有しており、一方、右側垂直板ＶＲはこの突出部Ｐ３を受け入れる略同幅（長さ）のスリットＳ３を有するので、この突出部Ｐ３をスリットＳ３に貫通させることができる。このとき、板部材ＨＴ−２のスリットＳ１３ｂと後方垂直板ＶＢの右端からのスリットＳ８’との長さ合計、スリットＳ１４ｂと前方垂直板ＶＦの右端からのスリットＳ９との長さ合計はいずれもＬの略１／３に相当しているので、これらスリット同士の嵌合を介して板部材ＨＴ−２は前後の垂直板ＶＦ，ＶＢに対しても組み付けられ、突出部Ｐ３の先端は左側垂直板ＶＬに突き当たり、後退部Ｐ４は右側垂直板ＶＲに突き当たる。
【００３１】
下方水平板ＨＢを組み付ける作業も略同様にして行うことができるが、スリット構成が上方水平板ＨＴとは対称であるので、組み付け作業も対称的に行う。すなわち、板部材ＨＢ−１を中間組立体２の右方から左方にスライドさせるようにして右側垂直板ＶＲと前後垂直板ＶＦ，ＶＢとに組み付けると共に、板部材ＨＢ−２を中間組立体２の左方から右方にスライドさせるようにして左側垂直板ＶＬと前後垂直板ＶＦ，ＶＢとに組み付ける。
【００３２】
以上により井桁状組立構造体３が得られる。前述の寸法の各板から組み立てた場合、この井桁状組立構造体３は幅４５０ｍｍ×奥行４５０ｍｍ×高さ４５０ｍｍの寸法を有する。図６はこの平面図であり、上方水平板ＨＴのうちの板部材ＨＴ−１とＨＴ−２が占める部分を分かりやすく示すために両者に異なるハッチングを付して表示している。
【００３３】
この井桁状組立構造体３は各板をスリットを介して組み立てることによって得られ、且つ、左右垂直板ＶＬ，ＶＲが前後垂直板ＶＦ，ＶＢに対して反対方向から組み込まれ、また、一対の水平板ＨＴ，ＨＢが２分割された板部材ＨＴ−１，ＨＴ−２；ＨＢ−１，ＨＢ−２が左右垂直板ＶＬ，ＶＲおよび前後垂直板ＶＦ，ＶＢに対して強固に連結されるので、いずれの方向からの荷重を受けても組立状態が変化することなく安定的に保持される。
【００３４】
この組立状態をより安定化するために、図２に示すように、板同士の交差箇所に結束具を嵌合させることができる。結束具は任意の構成を有するもので良いが、その一例が図７に示されている。この結束具４は、アルミ等の成形容易な金属やプラスチックから一体成形され、断面円柱状の基部４ａと、その一面から軸方向に突出する４本の断面１／４円弧状の脚部４ｂとを有して構成され、脚部４ｂ間には十字状の溝部４ｃが形成されている。溝部４ｃの幅は各板ＶＬ，ＶＲ，ＶＦ，ＶＢ，ＨＴ，ＨＢの板厚に対応しており、たとえば板厚が７ｍｍである場合には８ｍｍ程度の溝幅とする。
【００３５】
図２では、このような結束具４を井桁状組立構造体３の上下端において左右垂直板ＶＬ，ＶＲと前後垂直板ＶＦ，ＶＢとが交差する各４箇所において用いている。このように井桁状組立構造体３の下端に結束具４を用いることにより、結束具４の基部４ａの平坦な面が床面に対する安定的な載置面を提供する。また、上端においても同様に結束具４を用いることにより、この井桁状組立構造体３の上にガラスその他のテーブル天板を安定的に載置してコーヒーテーブルなどとしての用途により適したものとなる。
【００３６】
既述の実施形態では、一対の左右垂直板ＶＬ，ＶＲ、一対の前後垂直板ＶＦ，ＶＢおよび一対の水平板ＨＴ，ＨＢがすべてＬ×Ｌの正方形状を有し且つ厚みも等しい同一形状・同一寸法とされており、これらから幅Ｌ×奥行Ｌ×高さＬの井桁状構造体３に組み立てるものとされているが、一対の左右垂直板ＶＬ，ＶＲの幅寸法Ｌ１と一対の前後垂直板ＶＦ，ＶＢの幅寸法Ｌ２とを異なるものとしても良い。この場合、これら垂直板の高さ寸法をＨとすると、一対の水平板ＨＴ，ＨＢはＬ１×Ｌ２の長方形状を有するものとなり、これらを組み合わせることにより幅Ｌ１×奥行Ｌ２×高さＨの井桁状構造体が得られる。ここでＬ１＝Ｌ２とすれば、平面視正方形状の井桁状構造体となる。
【図面の簡単な説明】
【００３７】
【図１】本発明の一実施形態による井桁状組立構造体を構成する６枚の板を示す各平面図である。
【図２】図１に示す６枚の板を組み立てて得られる井桁状組立構造体の斜視図である。
【図３】井桁状組立構造体を得るための組立工程を説明する第一の説明図である。
【図４】組立工程を説明する第二の説明図である。
【図５】組立工程を説明する第三の説明図である。
【図６】組み立てられた井桁状組立構造体の平面図である。
【図７】板同士を結束する結束具の一例を示す拡大斜視図である。
【符号の説明】
【００３８】
１  第１の中間組立体
２  第２の中間組立体
３  井桁状組立構造体
４  結束具
ＶＬ，ＶＲ  一対の左右垂直板
ＶＦ，ＶＢ  一対の前後垂直板
ＨＴ，ＨＢ  一対の水平板
ＨＴ−１，ＨＴ−２；ＨＢ−１，ＨＢ−２  水平板から２分割された板部材
【図１】
2007195733.tif 000003
【図２】
2007195733.tif 000004
【図３】
2007195733.tif 000005
【図４】
2007195733.tif 000006
【図５】
2007195733.tif 000007
【図６】
2007195733.tif 000008
【図７】
2007195733.tif 000009